(57)【要約】      （修正有）【課題】部材強度を確保し小型化を実現し非撮影時のバリア部材の閉状態を維持し得るレンズ鏡筒を提供する。【解決手段】先端部に設けられる移動枠２と、移動枠に設けられ常時撮影光束から退避方向に付勢され開位置と閉位置との間で移動可能なバリア部材３と、移動枠の先端に撮影光束を囲むように設けられ光軸周りに回動しバリア部材を開閉移動させる駆動リング部材と、レンズ鏡筒の光軸方向への伸縮に伴って光軸周りに回転しかつ光軸方向に進退して移動枠を光軸方向に進退させる枠部材であり、レンズ鏡筒短縮動作時には駆動リング部材と係合しバリア部材の退避方向への付勢に抗して駆動リング部材を駆動しバリア部材を閉位置へと移動させ、短縮時にはバリア部材と係合しバリア部材の開位置への移動を規制し、レンズ鏡筒伸長動作時には駆動リング部材及びバリア部材との各係合を解除してバリア部材の開位置への付勢力を開放するカム部材１２とを備える。【選択図】図１
2011053349.tif 000002
【特許請求の範囲】
【請求項１】
光軸方向に伸縮するバリア付きレンズ鏡筒において、
上記レンズ鏡筒の先端部を構成する移動枠と、
上記移動枠に設けられ、常時撮影光束から退避するように付勢され、該撮影光束から退避する開位置と該撮影光束を遮る閉位置との間で移動可能なバリア部材と、
上記移動枠の先端に設けられ、上記撮影光束を囲むように形成されており、光軸周りに回動して上記バリア部材を開位置と閉位置との間で移動させる駆動リング部材と、
上記レンズ鏡筒の光軸方向への伸縮に伴って光軸周りに回転しかつ光軸方向に進退して上記移動枠を光軸方向に進退させる枠部材であって、
上記レンズ鏡筒が繰り込まれて短縮状態とされる時には、上記駆動リング部材と係合して上記バリア部材の退避方向への付勢に抗して上記駆動リング部材を駆動して上記バリア部材を閉位置へと移動させると共に、  短縮状態となった時には、上記バリア部材と係合して上記バリア部材が開位置へと移動するのを規制し、上記レンズ鏡筒が繰り出されて伸長される時には上記駆動リング部材との係合と上記バリア部材との係合を解除して上記バリア部材の開位置への付勢力を開放するカム部材と、
を具備することを特徴とするバリア付きレンズ鏡筒。
【請求項２】
上記駆動リング部材には、上記バリア部材に付勢を与えるバネ部材が懸架されており、
上記カム部材は、上記レンズ鏡筒が繰り込まれて短縮されるときに上記駆動リング部材と係合して該駆動リング部材を回動させるための斜面部が形成されていると共に、
上記駆動リング部材には、上記カム部材の上記斜面部と係合して上記カム部材を回動させる回動用突起部が形成されていることを特徴とする請求項１に記載のバリア付きレンズ鏡筒。
【請求項３】
上記カム部材は、先端面に突部を有し、
上記突部は、上記レンズ鏡筒が繰り込まれ短縮されたときに、上記バリア部材の回動領域に進入して上記バリア部材の開方向への回動移動を規制することを特徴とする請求項１又は請求項２のいずれか一方に記載のバリア付きレンズ鏡筒。
【発明の詳細な説明】
【技術分野】
【０００１】
この発明は、バリア付きレンズ鏡筒、詳しくは撮影用光路の開閉を行うバリア機構を先端に備え光軸方向に伸縮自在に構成されたバリア付きレンズ鏡筒の構造に関するものである。
【背景技術】
【０００２】
従来、撮影光学系により結像された光学像を光電変換素子等によって順次画像信号に変換し、こうして得られた画像信号を所定の形態の画像データとして記録媒体に記録し得ると共に、この記録媒体に記録された画像データを画像として再生表示する画像表示装置、例えば液晶表示装置（ＬＣＤ）等を備えて構成された撮影装置、例えばデジタルカメラやビデオカメラ等（以下、これらを総称してカメラという）が一般に実用化され、広く普及している。
【０００３】
このような形態の従来のカメラにおいては、撮影用光路の開閉を行うバリア部材やその開閉機構を先端寄りの部位に備えると共に、撮影光学系を構成する複数のレンズ群と、これらレンズ群のそれぞれを保持する複数のレンズ枠部材と、駆動モータやその駆動力を伝達する駆動力伝達部材及び複数の駆動用枠部材等からなり上記複数のレンズ枠部材のそれぞれを光軸に沿う方向へと適宜駆動させる駆動機構等を具備し、
所定のタイミングで複数のレンズ枠を所定の移動量で光軸方向で伸縮移動させると共に、この伸縮移動に連動させてバリア部材の開閉動作を所定のタイミングで行って、バリア部材を撮影光路上の遮閉位置と撮影光路上から退避させた退避位置との間で移動させるように構成したバリア付きレンズ鏡筒を備えたものが、一般に実用化されている。
【０００４】
このような形態のバリア付きレンズ鏡筒においては、これが適用されるカメラの非使用時には短縮状態とされてバリア部材が撮影用光路を遮蔽する位置に配置される一方、同カメラの使用時にはレンズ鏡筒が伸長状態とされてバリア部材が撮影用光路から退避して同光路を開放する位置に配置されるようになっている。
【０００５】
従来のカメラにおいては、小型化及び薄型化が常に望まれており、これに伴って、当該カメラに適用されるレンズ鏡筒についても、その小型化及び光軸方向の薄型化の要望が常にある。
【０００６】
そこで、バリア付きレンズ鏡筒の小型化や光軸方向の薄型化を実現するための技術が、例えば特開平７−２８１３０号公報等によって、従来種々の提案がなされている。
【０００７】
上記特開平７−２８１３０号公報によって開示されているバリア付きレンズ鏡筒においては、バリア駆動板に貫通孔や切欠部を形成し、これらの貫通孔や切欠部にバリア部材を付勢する付勢部材を配置するようにしている。これにより、バリア付きレンズ鏡筒における光軸方向の薄型化を実現し得るというものである。  
【先行技術文献】
【特許文献】
【０００８】
【特許文献１】特開平７−２８１３０号公報
【発明の概要】
【発明が解決しようとする課題】
【０００９】
ところが、上記特開特開平７−２８１３０号公報等によって開示される従来のバリア付きレンズ鏡筒は、レンズ鏡筒の伸縮動作に連動させてバリア部材の開閉動作を行うようにしていることから駆動機構が複雑化する傾向がある。例えば、駆動機構を構成する駆動用枠部材には、多くのカム溝等が設けられることになる。したがって、複数のレンズ枠を伸縮移動させるために必要とする移動量を確保すると同時に、駆動用枠部材の強度を確保するためには、同枠部材の肉厚をある程度厚くする必要が生じる。このことは、レンズ鏡筒の小型化及び薄型化を阻害する一因になる。
【００１０】
また、従来のバリア付きレンズ鏡筒の構造によっては、バリア部材を閉状態としたとき（カメラの非使用状態としたとき）には、該バリア部材は閉じバネの付勢力のみによって閉状態を維持するようにしている。この構成の場合、カメラに対して意図しない不要な力量が加わった時には、その力量がバリア部材に作用して、該バリア部材の閉状態が容易に解除されてしまうことがある。
【００１１】
本発明は、上述した点に鑑みてなされたものであって、その目的とするところは、撮影用光路の開閉を行うバリア機構を先端に備え光軸方向に伸縮自在に構成されたバリア付きレンズ鏡筒において、必要な部材強度を確保しながら、複数のレンズ枠を必要な移動量で移動させることができ、さらなる小型化及び薄型化を実現し得ると共に、非撮影時におけるバリア部材の閉状態を維持し得る構造を実現したバリア付きレンズ鏡筒を提供することである。
【課題を解決するための手段】
【００１２】
上記目的を達成するために、本発明によるバリア付きレンズ鏡筒は、光軸方向に伸縮するバリア付きレンズ鏡筒において、上記レンズ鏡筒の先端部を構成する移動枠と、上記移動枠に設けられ、常時撮影光束から退避するように付勢され、該撮影光束から退避する開位置と該撮影光束を遮る閉位置との間で移動可能なバリア部材と、上記移動枠の先端に設けられ、上記撮影光束を囲むように形成されており、光軸周りに回動して上記バリア部材を開位置と閉位置との間で移動させる駆動リング部材と、上記レンズ鏡筒の光軸方向への伸縮に伴って光軸周りに回転しかつ光軸方向に進退して上記移動枠を光軸方向に進退させる枠部材であって、上記レンズ鏡筒が繰り込まれて短縮状態とされる時には、上記駆動リング部材と係合して上記バリア部材の退避方向への付勢に抗して上記駆動リング部材を駆動して上記バリア部材を閉位置へと移動させると共に、短縮状態となった時には、上記バリア部材と係合して上記バリア部材が開位置へと移動するのを規制し、上記レンズ鏡筒が繰り出されて伸長される時には上記駆動リング部材との係合と上記バリア部材との係合を解除して上記バリア部材の開位置への付勢力を開放するカム部材と、を具備することを特徴とする。
【発明の効果】
【００１３】
本発明によれば、撮影用光路の開閉を行うバリア機構を先端に備え光軸方向に伸縮自在に構成されたバリア付きレンズ鏡筒において、必要な部材強度を確保しながら、複数のレンズ枠を必要な移動量で移動させることができ、さらなる小型化及び薄型化を実現し得ると共に、非撮影時におけるバリア部材の閉状態を維持し得る構造を実現したバリア付きレンズ鏡筒を提供することができる。
【図面の簡単な説明】
【００１４】
【図１】本発明の一実施形態のバリア付きレンズ鏡筒の分解斜視図
【図２】本発明の一実施形態のバリア付きレンズ鏡筒を沈胴状態とした時の断面図
【図３】本発明の一実施形態のバリア付きレンズ鏡筒を撮影状態（短焦点位置）とした時の断面図
【図４】本発明の一実施形態のバリア付きレンズ鏡筒における一群枠のみを取り出して示す分解斜視図
【図５】本発明の一実施形態のバリア付きレンズ鏡筒における一群枠の要部分解斜視図
【図６】本発明の一実施形態のバリア付きレンズ鏡筒における一部の構成要素（二群ズーム枠，シャッタユニット，二群枠，カム枠，二群用直進ガイド枠）を取り出して示す分解斜視図
【図７】本発明の一実施形態のバリア付きレンズ鏡筒における一部の構成要素（バリア機構とカム枠）を取り出して組み立てた際のバリア部材の閉状態を示す要部拡大斜視図
【図８】本発明の一実施形態のバリア付きレンズ鏡筒における一部の構成要素（バリア機構とカム枠）の正面図であって、バリア部材が開状態にある場合を示す正面図
【図９】本発明の一実施形態のバリア付きレンズ鏡筒における一部の構成要素（バリア機構とカム枠）の正面図であって、バリア部材が閉状態にある場合を示す正面図
【発明を実施するための形態】
【００１５】
以下、図示の実施の形態によって本発明を説明する。
【００１６】
本発明の一実施形態は、例えば複数の光学レンズにより形成される光学像を固体撮像素子を用いて光電変換し、これによって得られる画像信号を静止画像又は動画像を表わすデジタル画像データに変換し、こうして生成されたデジタルデータを記録媒体に記録し、また記録媒体に記録されたデジタル画像データに基いて静止画像又は動画像を表示装置に再生表示し得るように構成されるカメラにおいて適用され、撮影用光路の開閉を行うバリア機構を先端に備え光軸方向に伸縮自在に構成されたバリア付きレンズ鏡筒として、変倍機能を有するズームレンズ鏡筒を例に挙げて示すものである。
【００１７】
なお、本実施形態においては、ズームレンズ鏡筒における撮影光学系（ズームレンズ光学系）の光軸を符号Ｏで表す。また、光軸Ｏに沿う方向において、被写体側であってズームレンズ鏡筒の繰り出される側を前方というものとし、結像側であってズームレンズ鏡筒の繰り込まれる側を後方というものとする。そして、ズームレンズ鏡筒を構成する各枠部材が光軸Ｏ周りに回転する方向を示す時には、前方側から見た場合の方向でいうものとする。
【００１８】
図１は、本発明の一実施形態のバリア付きレンズ鏡筒の分解斜視図である。図２は、図１のバリア付きレンズ鏡筒を動作可能に組み立てた状態において短縮状態（沈胴状態）とした時の断面図である。図３は、図１のバリア付きレンズ鏡筒を動作可能に組み立てた状態において撮影状態のうち短焦点位置に設定されている状態を示す断面図である。図４は、図１のバリア付きレンズ鏡筒の構成部材のうち一群枠のみを取り出して示す拡大分解斜視図である。図５は、図４の一群枠の構成部材のうちの主要部材を示す要部分解斜視図である。図６は、図１のバリア付きレンズ鏡筒における一部の構成要素（二群ズーム枠，シャッタユニット，二群枠，カム枠，二群用直進ガイド枠）を取り出して示す分解斜視図である。図７は、図１のバリア付きレンズ鏡筒における一部の構成要素（バリア機構とカム枠）を取り出して組み立てた状態においてバリア部材の閉状態を示す要部拡大斜視図である。図８，図９は、図１のバリア付きレンズ鏡筒における一部の構成要素（バリア機構とカム枠）の正面図を示す。このうち図８はバリア部材が開状態にある場合を示している。図９は、バリア部材が閉状態にある場合を示している。
【００１９】
なお、図７，図８，図９においては、バリア部材の配置状態を示すために、バリア機構のうちバリア抑え板の図示を省略している。
【００２０】
本実施形態のバリア付きズームレンズ鏡筒（以下、単にズームレンズ鏡筒という）１は、複数の光学レンズによって形成される撮影光学系（ズームレンズ光学系）と、該複数の光学レンズをそれぞれ保持する複数のレンズ枠部材と、これら複数のレンズ枠部材を光軸Ｏに沿う方向に進退駆動したり回転規制したりする複数の駆動用枠部材と、撮影光学系を透過した光束によって結像される被写体像を電気信号に変換する撮像素子を含む撮像ユニット等によって構成される。
【００２１】
即ち、このズームレンズ鏡筒１は、図２，図３等に示すように、複数のレンズ枠部材及び複数の駆動用枠部材等がそれぞれ連動して光軸Ｏに沿う方向において前方に向けて突出した伸長状態となる撮影状態と、光軸Ｏに沿う方向において後方に繰り込まれて短縮状態となる非撮影状態（または沈胴状態ともいう）との間で伸縮自在に構成される沈胴式のズームレンズ鏡筒である。
【００２２】
また、このズームレンズ鏡筒１は、図２，図３等に示すように、非撮影状態（短縮状態）と撮影状態（伸長状態）との間で伸縮移動する際に、撮影用光路の開閉を行うバリア部材とその駆動機構等からなるバリア機構を備えたバリア付きレンズ鏡筒である。
【００２３】
なお、ズームレンズ鏡筒１が非撮影状態（短縮状態）にある時には、バリア部材３は、撮影光路上の遮蔽位置に配置されることにより該光路を遮蔽する（図８参照）。また、ズームレンズ鏡筒１が撮影状態（伸長状態）にある時には、バリア部材３は、撮影光路上から退避した退避位置に配置されることにより該光路を開放し撮影光束を通過させ得る状態になる（図９参照）。
【００２４】
さらに、このズームレンズ鏡筒１は、図２に示すように、短縮状態となるときに、撮影光学系の一部のレンズ群（を保持するレンズ枠部材）を光軸Ｏに対して直交する方向に退避させる退避機構を有している。
【００２５】
即ち、図１，図２，図３に示すように、本実施形態のズームレンズ鏡筒１は、固定枠１７と、回転枠１４と、移動枠１５と、カム枠１２（カム部材）と、二群用直進ガイド枠１３と、一群用直進ガイド枠５と、二群枠８（退避レンズ保持枠）を支持する二群ズーム枠６と、一群枠２（先端移動枠）と、三群枠１６と、四群枠４１と、撮像ユニット２２と、撮像ベース板１８と、ズーム駆動ユニット１９と、フォーカス駆動ユニット２１と、シャッタユニット７と、複数の光学レンズ（３１，３２，３３，３４）からなる撮影光学系等によって主に構成されている。
【００２６】
固定枠１７は、カメラ本体（図示せず）に固設される円筒形状の枠部材である。固定枠１７の内周部には、光軸Ｏに対して傾斜した方向に延びる傾斜カム溝部及び円周に沿う方向に延びる円周カム溝部が連接されて形成されるカム溝１７ａと、光軸Ｏに沿う方向に延びる直進溝１７ｂと、内周側に開口を有しロングギアー５６が収容される凹部１７ｃとが形成されている。
【００２７】
固定枠１７の外周面上には、ズーム駆動ユニット１９とフォーカス駆動ユニット２１とが、それぞれ所定の部位に配設されている。ズーム駆動ユニット１９は、撮影光学系のズーム駆動を行うためのユニットである。そのためにズーム駆動ユニット１９は、駆動源であるズームモータや、ズームモータの駆動力をロングギアー５６へと伝達し、該ロングギアー５６を回転駆動させるための駆動力伝達部となるギアー列等によって構成される。フォーカス駆動ユニット２１は、撮影光学系のフォーカス駆動を行うためのユニットである。フォーカス駆動ユニット２１は、フォーカスモータ，ギアー列，送りねじ，ガイド軸等によって構成される。なお、ズーム駆動ユニット１９及びフォーカス駆動ユニット２１の構成については、本発明に直接関連しない部分であるので、その詳細説明は省略する。
【００２８】
また、上述したように、固定枠１７の凹部１７ｃ内にはロングギアー５６が配置される。この場合において、ロングギアー５６は、光軸Ｏに沿う方向（光軸Ｏに対して平行方向）に、固定枠１７の内周側に露呈した状態で配置される。そして、ロングギアー５６は、固定枠１７の凹部１７ｃ内において、長軸周りに回転自在となるように支持されている。
【００２９】
回転枠１４は、固定枠１７の内周部に回動進退自在に嵌入される円筒状の枠部材である。これにより、回転枠１４は、固定枠１７に支持されて、ズーム動作時や沈胴動作時に回転進退駆動される。
【００３０】
回転枠１４の外周側の後方部には、カムフォロワ１４ｂと、ギアー部１４ａとが設けられている。カムフォロワ１４ｂは、固定枠１７のカム溝１７ａに摺動自在に嵌入している。ギアー部１４ａは、ロングギアー５６に噛合している。
【００３１】
また、回転枠１４の内周部の前方部には、突起部１４ｃが設けられている。突起部１４ｃは、移動枠１５の円周溝１５ｂに嵌入する（後述）。回転枠１４の内周部において、光軸Ｏ方向の中程の部位には、周方向に沿う円周溝１４ｄが形成されている。円周溝１４ｄには、移動枠１５の突起部１５ｃが嵌入する（後述）。回転枠１４の内周部において、光軸Ｏ方向に沿って延びるカム枠用直進溝１４ｅが形成されている。カム枠用直進溝１４ｅには、カム枠１２のカムフォロワ５５がカム枠用カム溝１５ｅを介して係合する（後述）。
【００３２】
回転枠１４は、ロングギアー５６がズーム駆動ユニット１９のズームモータの駆動力を受けて駆動されると、ギアー部１４ａを介して回転駆動されるようになっている。これにより、回転枠１４は回転しながら短縮状態から撮影状態における短焦点位置まで繰り出され、さらに、撮影状態における短焦点位置と長焦点位置との間で、光軸Ｏに沿う方向に対して移動しながら回転する。
【００３３】
移動枠１５は、回転枠１４の内周部に相対回転自在に嵌入される円筒状の枠部材である。移動枠１５は、回転が規制された状態で回転枠１４と共に光軸Ｏに沿う方向に進退する。
【００３４】
移動枠１５の後端外周部にはガイド突起部１５ａが設けられている。移動枠１５の外周前方部には円周溝１５ｂが形成されている。移動枠１５の外周中央部には、突起部１５ｃが形成されている。また、移動枠１５には、内外周を貫通する溝部であって、光軸Ｏ方向に対して傾斜するカム枠用カム溝１５ｅと、光軸Ｏ方向に直線状に形成され一群用及び二群用直進ガイド枠５，１３を直進ガイドする直進溝１５ｄとが形成されている。
【００３５】
移動枠１５は、ガイド突起部１５ａが固定枠１７の直進溝１７ｂに摺動自在に嵌入した状態で回転枠１４の内周部に嵌入されている。この場合において、移動枠１５の円周溝１５ｂには、回転枠１４の突起部１４ｃが嵌入される。さらに、移動枠１５の突起部１５ｃは、回転枠１４の円周溝１４ｄに嵌入される。このように回転枠１４に対して組み付けられ移動枠１５は、固定枠１７によって回転規制された状態で、回転枠１４に対しては相対的に回転可能な状態で支持されて、回転枠１４と一体に光軸Ｏに沿う方向に移動する。
【００３６】
カム枠１２（詳細構成は図６参照）は、移動枠１５の内周部に嵌入されて回転枠１４と共に回転し、かつ光軸Ｏに沿う方向に進退移動する円筒状の枠部材であって、一群枠２や退避レンズ保持枠（二群枠８）等（含む二群ズーム枠６）を光軸方向に進退させるカムを有する枠状のカム部材である。カム枠１２の外周後方部には、外方に突出する３本のカムフォロワ５５が、周方向に角度略１２０度の間隔をおいて設けられている。カムフォロワ５５は、移動枠１５のカム枠用カム溝１５ｅを貫通し、回転枠１４の直進溝１４ｅに嵌入される。
【００３７】
カム枠１２の外周面には、各カムフォロワ５５の近傍の前寄りの部位に有底のカム溝１２ｃ，１２ｄが形成されている。カム溝１２ｃ，１２ｄには、一群枠２のカムフォロワ５１，５２が係合する。また、各カムフォロア５５の近傍前位置には、外周に向けて凸状の部分周方向ガイド溝１２ａが形成されている。この部分周方向ガイド溝１２ａには、一群用直進ガイド枠５の円周突起部５ｂが摺動自在に嵌入される。
【００３８】
カム枠１２の内周面には、一対のカム溝１２ｅ，１２ｆが、周方向に角度略１２０度の間隔をおいて三箇所に形成されている。カム溝１２ｅ，１２ｆは、二群ズーム枠６のカムフォロワ５３，５４にそれぞれ係合する。また、カム枠１２の内周面には内側に向けて凸状の突起部１２ｂが形成されている。この突起部１２ｂは、二群用直進ガイド枠１３の円周溝１３ｂに摺動自在に嵌入する。
【００３９】
さらに、カム枠１２の前端面の所定の部位には、バリア駆動用切欠部１２ｋが形成されている。このバリア駆動用切欠部１２ｋは、前端側に向けた開口を有し光軸方向に沿ってカム枠１２の周面の一部を切り欠いた形状に形成されている。このバリア駆動用切欠部１２ｋには、本ズームレンズ鏡筒１が短縮状態となった時に、一群枠２に設けられるバリア機構の構成部材のうちのバリア駆動リング６２の回動用突起部６２ａ（図１では不図示。図４参照）が嵌入する。この場合において、バリア駆動用切欠部１２ｋには、回動用突起部６２ａの先端が当接する部位であって、開口から離れた部位には、光軸に沿う方向に対して傾斜を持たせた斜面部が形成されている。したがって、ズームレンズ鏡筒１の繰り込み動作時において、バリア駆動用切欠部１２ｋに回動用突起部６２ａが嵌入しつつあるときには、回動用突起部６２ａの先端がバリア駆動用切欠部１２ｋの斜面部に当接し、当該斜面部を押圧しながら光軸方向に移動するようになる。これによって、バリア駆動リング６２がカム枠１２に対して所定量だけ光軸周りに所定の方向に回動するようになっている。
【００４０】
また、カム枠１２の前端面には、バリアリングストッパ部１２ｓと、バリアハネストッパ部１２ｔとが形成されている。
【００４１】
バリアリングストッパ部１２ｓは、カム枠１２の前端面から前方に向けて突出する突形状に形成されており、カム枠１２の前端面において円周方向に所定の間隔を置いて複数（本実施形態では２つ）配設されている。このバリアリングストッパ部１２ｓは、本ズームレンズ鏡筒１の沈胴動作時の所定の期間に、バリア駆動リング６２のリング係止部６２ｓと当接するようになっている。これによって、バリアリングストッパ部１２ｓは、ズームレンズ鏡筒１が短縮状態にあるときに、バリア駆動リング６２の所定の一方向（バリア開方向）への回動を規制している。
【００４２】
バリアハネストッパ部１２ｔは、バリアリングストッパ部１２ｓと同様に、カム枠１２の前端面から前方に向けて突出する突形状に形成されており、カム枠１２の前端面において円周方向に所定の間隔を置いてバリア部材３と同数（本実施形態では２つ）だけ配設されている。このバリアハネストッパ部１２ｔは、本ズームレンズ鏡筒１が短縮状態とされてバリア部材３が閉状態とされたとき、バリア部材３の凹形状のハネ係止部３ｃが当接するようになっている。これにより、ズームレンズ鏡筒１が短縮状態にあるときのバリア部材３が所定の方向（開状態となる方向）へと回動するのを規制する。したがって、ズームレンズ鏡筒１が短縮状態とされた時に、バリア部材３が意図しない外力によって不用意に開状態とならないようになっている。
【００４３】
カム枠１２は、上述したように、移動枠１５の内周部に挿入される。このとき、カム枠１２のカムフォロワ５５が移動枠１５のカム枠用カム溝１５ｅに摺動自在に係合させて貫通させた状態となり、さらに、カムフォロワ５５の先端が回転枠１４の直進溝１４ｅに嵌入された状態とされる。これにより、カム枠１２は、回転枠１４と共に光軸周りに回動し、かつ移動枠１５のカム枠用カム溝１５ｅによって相対的に進退駆動される。
【００４４】
二群用直進ガイド枠１３は、回転規制された状態でカム枠１２と共に光軸Ｏに沿う方向に進退する円環形状の枠部材である。二群用直進ガイド枠１３は、後端寄りの部位に外周側に突出する突起部１３ａと、外周に沿って形成される円周溝１３ｂと、光軸Ｏに沿う方向に前方に向けて突出する直進ガイドキー１３ｃとを有する。
【００４５】
二群用直進ガイド枠１３は、移動枠１５の内周に挿入された状態で、突起部１３ａが移動枠１５の直進溝１５ｄに摺動自在に嵌入される、また、円周溝１３ｂがカム枠１２の突起部１２ｂが摺動自在に嵌入される。これにより、二群用直進ガイド枠１３は、移動枠１５を介して回転規制された状態でカム枠１２と共に光軸Ｏに沿う方向に進退移動する。
【００４６】
一群用直進ガイド枠５は、回転規制された状態でカム枠１２と共に光軸方向に進退移動する円筒形状の枠部材である。一群用直進ガイド枠５は、後端寄りの部位に外周に向けて突出する突起部５ａと、後端縁側の内周面に沿って形成される円周突起部５ｂと、内周面の光軸Ｏに沿う方向に沿って形成される直進溝５ｃとを有する。
【００４７】
一群用直進ガイド枠５は、移動枠１５の内周部に挿入された状態で、突起部５ａが移動枠１５の直進溝１５ｄに摺動自在に嵌入される。また、円周突起部５ｂがカム枠１２の部分周方向ガイド溝１２ａに摺動自在に嵌入される。これにより、一群用直進ガイド枠５は、移動枠１５によって回転規制された状態でカム枠１２と共に光軸Ｏに沿う方向に進退移動する。
【００４８】
二群ズーム枠６は、回転規制された状態でカム枠１２により進退駆動される円筒状の枠部材である。二群ズーム枠６は、シャッタユニット７を固定支持し、かつ退避レンズ保持枠である二群枠８を光軸Ｏに直交する面に沿って揺動自在に支持している。
【００４９】
二群ズーム枠６の外周部には、光軸Ｏ方向に沿う直進溝６ａと、一対のカムフォロワ５３，５４を有している。なお、一対のカムフォロワ５３，５４は、周方向に角度略１２０度の間隔をおいて三箇所に形成されている。
【００５０】
二群ズーム枠６の内部には、光軸Ｏ方向に沿って突出したガイド軸６ｂが形成されている。また、二群ズーム枠６の内部には、シャッタユニット７が後方側から挿入され、その後方に二群枠８が組み込まれる。
【００５１】
二群ズーム枠６は、カム枠１２の内周部に嵌入されて、カムフォロワ５３，５４がカム枠１２のカム溝１２ｅ，１２ｆに係合される。また、直進溝６ａが二群用直進ガイド枠１３の直進ガイドキー１３ｃが摺動自在に嵌入される。これにより、二群ズーム枠６は、シャッタユニット７及び二群枠８を保持した状態で直進ガイドキー１３ｃによって回転規制され、カム枠１２の回転に伴って光軸Ｏに沿う方向に進退移動する。
【００５２】
シャッタユニット７は、絞り開口部７ａを開閉するためのシャッタ３５を備えている。シャッタユニット７は、付勢バネ（図示せず）を介在した状態で光軸Ｏ方向に沿って形成される軸孔７ｂに対し二群ズーム枠６のガイド軸６ｂを嵌入させた状態で、二群ズーム枠６に装着される。したがって、シャッタユニット７は、付勢バネが開放状態とされたとき（本ズームレンズ鏡筒１の撮影状態）、二群ズーム枠６に対して所定の距離だけ光軸Ｏに沿う方向に離間した状態で支持される（図３参照）。また、本ズームレンズ鏡筒１が短縮状態とされて二群ズーム枠６が光軸Ｏに沿う方向で後退したとき、付勢バネが圧縮されて二群ズーム枠６側にシャッタユニット７が接近し、両者は略密着した状態となる（図２参照）。
【００５３】
二群枠８は、二群レンズ３２を保持する枠部材である。二群枠８は、光軸Ｏと平行に延びる軸孔部８ａと、二群枠８の光軸Ｏ上からの退避駆動を行うカムフォロワ８ｂとを有している。
【００５４】
軸孔部８ａには、光軸Ｏと平行に二群ズーム枠６に植設される支持軸９が嵌入する。これにより二群枠８は、支持軸９により二群ズーム枠６に対して光軸Ｏに対して直交する面に沿って回動（揺動）自在に支持されている。なお、二群枠８は、ばね部材である付勢部材１１の付勢力によって、常に撮影状態とする方向、つまり二群枠８の保持する二群レンズ３２を支持軸９周りの所定の回動方向（二群レンズ３２の中心が光軸Ｏに合致する方向）へと付勢されている。
【００５５】
カムフォロワ８ｂは、図示しない退避用カム溝に対し係合している。これにより、該ズームレンズ鏡筒１の伸縮動作に連動して、二群枠８の二群レンズ３２が光軸Ｏ上に配置される位置（撮影状態）と、光軸Ｏ上から退避する退避位置（非撮影状態）との間で駆動されるようになっている。
【００５６】
即ち、ズームレンズ鏡筒１が撮影状態にある時には、二群枠８は支持軸９を中心として前方側から見て時計回りに回動し、二群レンズ３２が光軸Ｏに合致する位置に配置される（図３参照）。また、ズームレンズ鏡筒１が短縮状態に繰り込まれた時には、二群枠８は支持軸９を中心として前方側から見て反時計回りに回動駆動（揺動）されて二群レンズ３２が光軸Ｏ上から退避する位置に配置される（図２参照）。
【００５７】
本ズームレンズ鏡筒１を短縮状態とした時には、二群レンズ３２を保持する二群枠８が光軸Ｏ上から退避する退避位置へと移動するように構成されていることから、短縮状態としたときに、一群枠２は光軸Ｏ方向においてより後方側へと繰り込まれるようになる。
【００５８】
一群枠２は、本ズームレンズ鏡筒１の先端部を構成し円筒形状からなる移動枠である。一群枠２は、回転規制された状態でカム枠１２によって進退駆動される。一群枠２の中央開口部２ｂには一群レンズ３１が保持されている。この一群レンズ３１の前方には、中央開口部２ｂの開閉を行う一対のバリア部材３が設けられている。バリア部材３の前面部の周囲には飾り環４が固着されている。
【００５９】
一群枠２の外周部には、光軸Ｏ方向に沿う直進ガイド突部２ａが形成されている。この直進ガイド突部２ａには、内周側に向けて突出する一対のカムフォロワ５１，５２が配設されている。カムフォロワ５１，５２は、周方向に角度略１２０度の間隔をおいて三箇所に形成されている。
【００６０】
一群枠２は、一群用直進ガイド枠５の内周側に嵌入されて、直進ガイド突部２ａが直進溝５ｃに嵌入される。また、一群枠２は、カム枠１２の外周側に被さるように嵌入されて、カムフォロワ５１，５２がカム溝１２ｃ，１２ｄに係合される。これにより、一群枠２は、一群用直進ガイド枠５によって回転規制された状態で、カム枠１２の回転と進退移動に伴って光軸Ｏに沿う方向に進退移動する。
【００６１】
三群枠１６は、フォーカシングレンズである三群レンズ３３を保持しており、フォーカシング時や沈胴駆動時に進退駆動される枠部材である。
【００６２】
三群枠１６は、固定枠１７によって光軸Ｏに沿う方向に進退移動自在に支持されている。三群枠１６は、固定枠１７に配設される公知のフォーカス駆動ユニット２１の駆動力を受けてフォーカス駆動及び沈胴駆動が行われることで光軸Ｏに沿う方向へと進退駆動する。
【００６３】
撮像ベース板１８は、四群枠４１及び撮像ユニット２２を保持し、固定枠１７に支持される板状部材である。
【００６４】
撮像ベース板１８の前面部には、四群レンズ３４を保持する四群枠４１と、撮像ユニット２２とが取り付けられた状態で、固定枠１７の背面に対して所定の位置決めがなされた状態で固着される。
【００６５】
撮像ユニット２２は、光学フィルタ及び接続ＦＰＣ４３に実装される撮像素子４２（図２，図３参照）等によって構成されるユニットである。なお、撮像ユニット２２そのものの構成については、本発明の要旨に直接関連する部位ではないので、その詳細説明は省略する。
【００６６】
一群枠２に保持される一群レンズ３１と、二群枠８に保持される二群レンズ３２（退避レンズ）と、三群枠１６に保持される三群レンズ３３（フォーカシングレンズ）と、四群枠４１に保持される四群レンズ３４とによって、本実施形態のズームレンズ鏡筒１における撮影光学系が構成されている。なお、この撮影光学系のうち、特に三群レンズ３３は焦点調節動作が行われる際に光軸Ｏに沿って移動する合焦用レンズ光学系（フォーカシングレンズ）である。また、一群レンズ３１と二群レンズ３２（退避レンズ）とは、変倍動作が行われる際に、それぞれが独立して光軸Ｏに沿って移動するズームレンズ光学系である。そして、二群レンズ３２は、本ズームレンズ鏡筒１が撮影可能な状態とされた時には、光軸Ｏ上に配置されて光軸Ｏに沿う方向に移動可能となる一方、本ズームレンズ鏡筒１が非撮影状態（短縮状態）とされた時には、光軸Ｏに対して直交する面内で光軸Ｏ外の所定の退避位置へと退避する退避レンズである。
【００６７】
ここで、一群枠２におけるバリア部材３を含むバリア機構の詳細構成を、主に図４，図５を用いて以下に説明する。
【００６８】
一群枠２は、一群枠本体６０（図４参照。図５では図示を省略している）と、バリア部材３を含むバリア機構等によって主に構成されている。
【００６９】
一群枠本体６０は、一群レンズ３１を内部に固定保持すると共に、先端側にバリア機構を保持し、略円筒形状に形成される筒状の枠部材である。
【００７０】
バリア機構は、バリア部材３と、バリア抑え板６１と、バリア駆動リング６２（駆動リング部材）と、開きバネ６３及び閉じバネ６４（バネ部材）等によって構成される。
【００７１】
バリア部材３は、セクタ形状（扇形状）に形成された一対の薄板部材である。バリア部材３の基端部３ａには貫通孔３ａａが形成されている。この貫通孔３ａａには、バリア抑え板６１の一面に後方に向けて突設される支持軸６１ａが嵌入する。これにより、バリア部材３は、支持軸６１ａを回動中心として所定の範囲内において回動自在となっている。つまり、バリア部材３は、本ズームレンズ鏡筒１の前面側から撮影光学系へと入射する光束の光路上であって一群レンズ３１の前面を覆う位置に配置されて入射光束の通過を遮る閉位置と、この一群レンズ３１の前面から退避して入射光束を通過させる開位置との間を所定のタイミングで回動するようになっている。
【００７２】
バリア部材３の基端部３ａ近傍には、閉じバネ６４の一端を掛ける閉じバネ掛け部３ｂと、カム枠１２のバリアハネストッパ部１２ｔに当接するバリア部材３の回転方向に凹形状のハネ係止部３ｃとが形成されている。
【００７３】
バリア抑え板６１は、一群枠本体６０の前面側に固設される薄板円環形状の部材である。バリア抑え板６１は、一群枠本体６０の前面に対してネジ６５によって固定されている。このバリア抑え板６１と一群枠本体６０の先端側の空間にバリア部材３及びバリア駆動リング６２が配設される。バリア抑え板６１の中央部領域には、略矩形状に形成され一群枠２の中央開口部２ｂとなる開口６１ｂが形成されている。バリア抑え板６１の裏面側には、バリア部材３を回動自在に支持する一対の支持軸６１ａと、開きバネ６３の一端を掛ける開きバネ掛け部６１ｃとがいずれも後方に向けて光軸に沿う方向に突設されている（図５参照）。
【００７４】
バリア抑え板６１の後面には、バリア部材３を光軸方向において挟むように、光軸周りに撮影光束を囲むように形成され、薄板円環形状からなるバリア駆動リング６２が回動自在に配設されている。バリア駆動リング６２は、バリア部材３の開閉駆動を行う部材である。バリア駆動リング６２の裏面側には、開きバネ６３の他端を掛ける開きバネ掛け部６２ｂと、閉じバネ６４の他端を掛ける閉じバネ掛け部６２ｃとが、いずれも後方に向けて光軸に沿う方向に突設されている（図５参照）。また、バリア駆動リング６２の外周縁の所定の部位には、後方に向けて突出するように回動用突起部６２ａが形成されている。この回動用突起部６２ａは、本ズームレンズ鏡筒１が短縮状態となった時に、カム枠１２のバリア駆動用切欠部１２ｋに嵌入する。これにより、回動用突起部６２ａは、ズームレンズ鏡筒１の短縮状態への移行時において、バリア駆動リング６２を回動させる役目をしている。
【００７５】
開きバネ６３は、バリア抑え板６１の開きバネ掛け部６１ｃ（固定側）とバリア駆動リング６２の開きバネ掛け部６２ｂ（可動側）との間に懸架されている。開きバネ６３は、例えば緊縮性のコイルバネ等の付勢部材が適用される。これにより開きバネ６３は、バリア駆動リング６２に作用して、同バリア駆動リング６２を常に所定の一方向、即ちバリア部材３を開状態へと駆動させる方向に付勢している。
【００７６】
閉じバネ６４は、バリア駆動リング６２の閉じバネ掛け部６２ｃ（固定側）とバリア部材３の閉じバネ掛け部３ｂ（可動側）との間に懸架されている。閉じバネ６４は、例えば緊縮性のコイルバネ等の付勢部材が適用される。これにより閉じバネ６４は、一対のバリア部材３のそれぞれに作用して、同バリア部材３のそれぞれを常に所定の一方向、即ちバリア部材３を閉状態へと回動させる方向に付勢している。
【００７７】
なお、開きバネ６３の付勢力は、閉じバネ６４の付勢力よりも大となるように設定されている。したがって、バリア部材３は、開きバネ６３の付勢力により常に開位置となるように、つまり撮影光路から退避する方向へと付勢されている。
【００７８】
このように構成された本実施形態のズームレンズ鏡筒１の作用のうち、特にズームレンズ鏡筒１が短縮状態（非撮影状態；沈胴状態：図２の状態）と撮影状態における短焦点位置にある状態（伸長状態：図３の状態）との間で伸縮動作が行われる場合において、この伸縮動作に連動してバリア部材３が開閉する際の作用を以下に説明する。
【００７９】
まず、本ズームレンズ鏡筒１が短縮状態（図２参照）とされた時には、バリア部材３は閉じバネ６４の付勢力により閉状態とされている（図９参照）。このとき、バリア部材３のハネ係止部３ｃは、カム枠１２のバリアハネストッパ部１２ｔにバリア部材３の回転方向において当接しているか、若しくは当接寸前の状態となっている。これにより、バリア部材３は、開方向への回動が係止されている。
【００８０】
また、バリア駆動リング６２のリング係止部６２ｓが、カム枠１２のバリアリングストッパ部１２ｓに当接していると共に、回動用突起部６２ａがカム枠１２のバリア駆動用切欠部１２ｋに嵌入している。これにより、バリア駆動リング６２の回動が規制されている。したがって、バリア部材３が閉状態あるとき、バリア部材３を開方向へと回動させるような外力が作用したとしても、例えば、故意に人の手がバリア部材３を開方向に移動させようとしても、バリア部材３の閉状態は維持される。これにより、一群レンズ３１の前面は、バリア部材３によって常に保護されている。
【００８１】
ズームレンズ鏡筒１が、図２に示す短縮状態にあるとき、本ズームレンズ鏡筒１が適用されるカメラ（図示せず）の電源がオン状態とされると、本ズームレンズ鏡筒１は繰り出し動作を開始する。
【００８２】
ズームレンズ鏡筒１の繰り出し動作は、まず、ズーム駆動ユニット１９のズームモータ（図示せず）が回転する。ズームモータが回転すると、その駆動力はロングギアー５６に伝達され、これを回転させる。ロングギアー５６は、回転枠１４のギアー部１４ａを介して回転枠１４を回転させる。これにより、回転枠１４は回転しながら前方へと繰り出される。回転枠１４の繰り出し動作に伴って、移動枠１５は回転枠１４と一体となって前方へと繰り出される。なお、移動枠１５は固定枠１７により回転規制されているので、移動枠１５は回転せずに光軸方向へ移動する。
【００８３】
このとき、カム枠１２は、移動枠１５とのカム係合により回転枠１４に従動して回転しながら光軸Ｏに沿う方向において前方へと繰り出される。一群用直進ガイド枠５は、移動枠１５によって回転規制された状態でカム枠１２と共に光軸Ｏに沿う方向において前方へと繰り出される。そして、カム枠１２の回転と繰り出し動作に伴って、一群枠２は、一群用直進ガイド枠５によって回転規制された状態で前方へと繰り出される。
【００８４】
上述したように、カム枠１２が回転しながら一群枠２が繰り出されと、カム枠１２の所定の方向（図８に示す矢印Ｏｐ方向）への回転によって、カム枠１２のバリアリングストッパ部１２ｓが同方向に移動する。これにより、バリア駆動リング６２は、開きバネ６３の付勢力によってカム枠１２の回動に従動して同方向に移動する。このとき、両部材（６２，１２）は、バリアリングストッパ部１２ｓとリング係止部６２ｓとの当接状態を維持したまま同方向に回動する。
【００８５】
同時に、カム枠１２の回転によって一群枠２が前方へ繰り出されて、両部材（１２，２）は、光軸Ｏに沿う方向において移動し、両者は互いに離間する。これにより、バリア駆動リング６２の回動用突起部６２ａとカム枠１２のバリア駆動用切欠部１２ｋとの係合状態が解除される。またこのときバリア駆動リング６２のリング係止部６２ｓとカム枠１２のバリアリングストッパ部１２ｓとの当接状態も解除される。さらに、カム枠１２のバリアハネストッパ部１２ｔによるバリア部材３のハネ係止部３ｃの係止状態も解除される。これにより、バリア部材３に対する開きバネ６３による開位置への付勢力が開放される。したがって、バリア部材３は、閉じバネ６４の付勢力に抗して開きバネ６３の付勢力によって所定の方向、即ち開位置へ向けて回動を始める。これにより、バリア部材３は、開きバネ６３の付勢力によって撮影光路から退避する開位置（図８に示す状態）へと変位する。
【００８６】
なお、ズームレンズ鏡筒１は、撮影状態にあるとき、短焦点位置と長焦点位置との間で光軸Ｏに沿う方向に伸縮することになるが、この状態においてバリア部材３は、開きバネ６３の付勢力がバリア駆動リング６２に作用することにより常に開位置が維持されている。
【００８７】
一方、撮影状態における短焦点位置（図３の状態）にあるズームレンズ鏡筒１が短縮状態（図２参照）へと繰り込まれる際の繰り込み動作は、上述の繰り込み動作と略逆順の作用となる。
【００８８】
即ち、ズームレンズ鏡筒１の繰り込み動作は、ズーム駆動ユニット１９のズームモータ（図示せず）が繰り出し時とは逆方向の回転によりロングギアー５６を所定の方向に回転させる。ロングギアー５６は、ギアー部１４ａを介して回転枠１４を回転させる。これにより、回転枠１４は回転しながら後方へと繰り込まれる。回転枠１４の繰り込み動作に伴って、移動枠１５は固定枠１７により回転規制された状態で、回転枠１４と一体に後方へと繰り込まれる。
【００８９】
このとき、カム枠１２は、移動枠１５とのカム係合により回転枠１４に従動して回転しながら光軸Ｏに沿う方向において後方へと繰り込まれる。一群用直進ガイド枠５は、移動枠１５によって回転規制された状態でカム枠１２と共に光軸Ｏに沿う方向において後方へと繰り込まれる。そして、カム枠１２の回転と繰り込み動作に伴って、一群枠２は、一群用直進ガイド枠５によって回転規制された状態で後方へと繰り込まれる。
【００９０】
上述したように、カム枠１２が回転しながら一群枠２と共に後方へと繰り込まれるが、この繰り込み動作中において、所定量だけ繰り込まれた時、所定のタイミングでバリア駆動リング６２の回動用突起部６２ａがカム枠１２のバリア駆動用切欠部１２ｋに進入する。このとき、回動用突起部６２ａは、光軸方向に後退しつつ、バリア駆動用切欠部１２ｋの斜面部に当接し、当該斜面部を押圧しながら後退する。これにより、バリア駆動リング６２は、開きバネ６３の付勢力に抗して所定の方向（図８の矢印Ｃ方向）に所定量だけ回動する。このバリア駆動リング６２の回動によって、バリア部材３は閉じバネ６４の付勢力により閉位置へと移動する（図９の状態）。
【００９１】
その後、カム枠１２と一群枠２とは相対的に接近し、やがて、バリア駆動リング６２のリング係止部６２ｓとカム枠１２のバリアリングストッパ部１２ｓとが当接する。これと同時に、カム枠１２のバリアハネストッパ部１２ｔがバリア部材３のハネ係止部３ｃを係止する状態となる。この状態となったとき本ズームレンズ鏡筒１の繰り込み動作が完了する（短縮状態；図２参照）。
【００９２】
以上説明したように上記一実施形態によれば、カム枠１２の先端縁側にバリア駆動リング６２に作用するバリアリングストッパ部１２ｓとバリア駆動用切欠部１２ｋとを設けることにより、カム枠１２の肉厚を厚くすることなく複数の枠部材を伸縮させ得ると同時に、バリア機構のバリア部材３の開閉動作をも行い得るように構成することができる。
【００９３】
さらに、ズームレンズ鏡筒１が短縮状態となった時には、カム枠１２のバリアハネストッパ部１２ｔがバリア部材３のハネ係止部３ｃに係合するか、若しくは係合寸前の状態となるように構成したので、バリア部材３に対して意図しない外力等が加わったとしても、当該バリア部材３の開位置への移動を規制することができる。
【００９４】
上述の一実施形態においては、カム枠１２のバリアハネストッパ部１２ｔとバリア部材３のハネ係止部３ｃとの当接面を、図９等に示すように、バリア駆動リング６２の回動方向に対して直交する面で形成しているが、このような形状に限ることはない。バリアハネストッパ部１２ｔとハネ係止部３ｃとの当接面は、例えばバリア駆動リング６２の回動方向に対して傾いた面で形成するようにしてもよい。
【００９５】
なお、上記一実施形態では、本発明を適用し得るレンズ鏡筒として、複数の枠部材を伸縮自在に構成した沈胴式のズームレンズ鏡筒を例に挙げて説明したが、本発明を適用し得るレンズ鏡筒は、この方式のものに限られることはない。例えば、光軸方向に伸縮自在に構成される沈胴式のレンズ鏡筒であって、焦点距離固定のいわゆる単焦点レンズ鏡筒に適用することも可能である。
【００９６】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【符号の説明】
【００９７】
１……ズームレンズ鏡筒
２……一群枠
３……バリア部材
３ａ……基端部
３ａａ……貫通孔
３ｂ……閉じバネ掛け部（可動側）
３ｃ……ハネ係止部
５……一群用直進ガイド枠
６……二群ズーム枠
７……シャッタユニット
８……二群枠
１２……カム枠
１２ｋ……バリア駆動用切欠部
１２ｓ……バリアリングストッパ部
１２ｔ……バリアハネストッパ部
１３……二群用直進ガイド枠
１４……回転枠
１４ａ……ギアー部
１５……移動枠
１６……三群枠
１７……固定枠
１９……ズーム駆動ユニット
２１……フォーカス駆動ユニット
２２……撮像ユニット
３１……一群レンズ
３２……二群レンズ
３３……三群レンズ
３４……四群レンズ
４１……四群枠
４２……撮像素子
５６……ロングギアー
６０……一群枠本体
６１……バリア抑え板
６１ａ……支持軸
６１ｂ……開口
６１ｃ……開きバネ掛け部（固定側）
６２……バリア駆動リング
６２ａ……回動用突起部
６２ｂ……開きバネ掛け部（可動側）
６２ｃ……閉じバネ掛け部（固定側）
６２ｓ……リング係止部
６３……開きバネ
６４……閉じバネ
【図１】
2011053349.tif 000003
【図２】
2011053349.tif 000004
【図３】
2011053349.tif 000005
【図４】
2011053349.tif 000006
【図５】
2011053349.tif 000007
【図６】
2011053349.tif 000008
【図７】
2011053349.tif 000009
【図８】
2011053349.tif 000010
【図９】
2011053349.tif 000011